(57)【要約】【課題】  左右の幅寸法を広く設定したり多段化しても、不使用時には自立可能な状態に折り畳んでコンパクトに保管できるようにする。【解決手段】  対向配置した左右一対のフレーム１４と１５の後側端部同士を連結部材１７を介し連結する。左右のフレーム１４と１５の間に、左右一対のパンタグラフ状のリンク１９ａ，１９ｂの前端部、後端部、下端部の所要個所同士を、前側支持桁部材２０、後側支持桁部材２１、下側支持桁部材２２でそれぞれ連結した構成として、前後方向に拡縮できるようにした棚１８を設ける。右側フレーム１５を、前後方向の所要位置よりも前側となる前部回動部１５ａを、内側へ回動できるようにした構成とする。使用しないときには、棚１８を奥側へ折り畳むと共に、該折り畳んだ棚１８の前側へ重なるように右側フレーム１５の前部回動部１５ａを回動させて折り畳むことにより、全体の平面形状をＬ字型とさせる。【選択図】図１
0003115375.tif 000002
【実用新案登録請求の範囲】
【請求項１】
左右方向へ所要間隔を隔てて対向配置した左右一対のフレームの後側端部の所要個所同士を連結部材を介し連結し、該左右のフレームの間に、左右方向に延びる複数本の支持桁部材を前後方向に位置変動可能に支持させてなる棚を設けて、該棚を前後方向に拡縮できるようにし、更に、上記左右のフレームのいずれか一方のフレームを前後方向所要位置より内側へ屈曲して回動できるようにした構成を有することを特徴とする折畳式ラック。
【請求項２】
前後方向に拡縮可能とした棚を、左右のフレームの内側に沿って前後方向に拡縮できるようにしてある左右一対のパンタグラフ状のリンクと、該左右のリンクに両端を連結して左右のフレーム間に配置した左右方向に延びる前側支持桁部材、後側支持桁部材、下側支持桁部材とからなる構成とした請求項１記載の折畳式ラック。
【請求項３】
左右のリンクの前後方向への拡縮を、該左右のリンクの各後端側を左右のフレームの後部側に連結支持させ、左右のリンクの前端側を左右のフレームに備えた前後方向に延びるガイドレールに係合させて、ガイドレールに沿って行わせるようにした請求項２記載の折畳式ラック。
【請求項４】
ガイドレールの前端側に屈曲部を設け、左右のリンクの前端側を該屈曲部に係止させて、棚の展張状態を保持するようにした請求項２又は３記載の折畳式ラック。
【請求項５】
前側支持桁部材と後側支持桁部材における長手方向所要間隔位置同士の間に、略Ｖ字状又は略逆Ｖ字状のリンク構造の支持部材を設けるようにした請求項１、２、３又は４記載の折畳式ラック。
【考案の詳細な説明】
【技術分野】
【０００１】
本考案は、不使用時にはコンパクトに折り畳んで保管可能な折畳式のラックに関するもので、特に、カルテ等のように所定形状のホルダや封筒に収めた書類や、その他、所定の方形としてある収納対象物を立てて収納するのに適した折畳式ラックに関するものである。
【背景技術】
【０００２】
使用しないときにはコンパクトに折り畳んだ状態で保管できる折畳式のラックの一例としては、図４（イ）（ロ）に示す如く、矩形の四隅部と対応する前後左右の４個所に上下方向に延びる支柱１を配置し、該４本の支柱１の内側に、矩形の棚板２を上下方向へ所要間隔で平行配置すると共に、該各棚板２の前縁部における左右両側端部を、前側の左右の支柱１同士の対向面間に位置させて、左右方向に延びる枢軸３に上下方向に揺動（回動）可能に取り付け、且つ該各棚板２の後縁部における左右両側端部を、後側の左右の支柱１同士の対向面間に位置させて、左右方向に延びる枢軸３に上下方向に揺動（回動）可能に取り付けた構成としたものが提案されている。かかる構成としてある折畳式のラックによれば、使用しないときには、前後方向に対峙する支柱１同士を上下方向にずらしながら接近させるように平行移動させることにより、図４（ロ）に二点鎖線で示す如く、前後方向に扁平状に折り畳むことができるようにされている（たとえば、特許文献１参照）。なお、４は前後方向に対峙する支柱１同士を前後方向に展開した配置で固定できるようにするためのブレース、５は各支柱１の下端部に取付けたキャスタ、６は前側の左右の支柱１の対向面間における所要高さ位置に取り付けた把手兼用の横杆である。
【０００３】
ところで、荷を搬送するための台車の一形式として、矩形の荷台の奥側（後側）と左右両側の三方を、所要高さ位置まで立ち上がる背面パネルと左右の側面パネルで囲うようにしてなるかご型の台車がある。更に、この種のかご型の台車の分野においては、使用しないときには平面形状がＬ字型となるように折り畳めるようにした形式のものが従来提案されている。
【０００４】
図５（イ）（ロ）（ハ）は、上述したように平面形状をＬ字型に折り畳むことができるようにした荷搬送用台車の一例の概略を示すもので、左右方向に荷台７の幅寸法よりもやや大きな幅寸法を有する背面パネル８の左辺部の前側に、前後方向に荷台７の前後長とほぼ同様の寸法を有する左側面パネル９の後側（奥側）の辺部を一体に取り付ける。上記背面パネル８の右辺部の前側には、上記左側面パネル９と同様の形状としてある右側面パネル１０の後側（奥側）の辺部を、水平方向に回動自在に取り付け、これにより、該右側面パネル１０を、上記背面パネル８と直角な前後方向に沿う配置から、上記背面パネル８の内側に重なる配置となるように折り畳むことができるようにしてある。又、上記背面パネル８の下辺部の前側には、上記左右の両側面パネル９，１０の内側に水平配置した荷台７の後側（奥側）の辺部を、上向きに回動できるよう取り付け、これにより、該荷台７を、水平な状態から上記背面パネル８の内側に重なる配置となるように折り畳むことができるようにしてある。更に、上記背面パネル８の左右両端部の下側と、左右の両側面パネル９，１０の前端部の下側に、それぞれ車輪１１を取り付けた構成としてある。
【０００５】
更に又、上記背面パネル８と左右の両側面パネル９，１０における上下方向中間部の内側に、上記荷台７と同様の形状としてある中間棚１２を配置し、該中間棚１２の左側辺部を、上記折畳不可としてある左側面パネル９の上下方向中間部位置に、上下方向回動自在に取り付け、且つ該中間棚１２の右側辺部には、係止用フック１３を突設して、該係止用フック１３を右側面パネル１０の対応する高さ位置の所要個所に係脱自在に係止させることにより、該中間棚１２を、左右の両側面パネル９，１０で支持できるようにした構成としてある。
【０００６】
以上の如き構成としてある荷搬送用台車によれば、使用時は、図５（イ）に示す如く、右側面パネル１０を背面パネル８と直角方向に展開し、且つ荷台７及び中間棚１２を水平な状態として、該荷台７及び中間棚１２に、それぞれ所要の搬送対象物（図示せず）を載置することにより、該搬送対象物の搬送や保管を行なうことができるようになる。一方、上記荷搬送用台車を使用しないときには、先ず、図５（ロ）に示す如く、中間棚１２を、左側辺部側を中心に上下方向へ回転させて左側面パネル９の内側に重なるように折り畳んで図示しない保持手段により保持させ、次に、図５（ハ）に示す如く、荷台７を、後側辺部側を中心に上方へ回動させて背面パネル８の内側に重なるように折り畳んでから、右側面パネル１０を、後側辺部側を中心にして背面パネル８の内側に重なる配置となるまで水平方向に折り畳むことにより、平面形状がＬ字型とされるようにしてある。したがって、図５（ハ）に示すように平面形状がＬ字型となるように折り畳んだ状態としてある上記荷搬送用台車を、順次、入れ子状に並べて密集させることにより、多数の荷搬送用台車をコンパクトに保管することが可能になる（たとえば、特許文献２参照）。
【０００７】
【特許文献１】特開２００５−４０１８５号公報
【特許文献２】特開２００４−２６８６５２号公報
【考案の開示】
【考案が解決しようとする課題】
【０００８】
ところが、図４（イ）（ロ）に示した折畳式ラックでは、使用しないときに折り畳んだ状態とすると、全体形状が扁平状になってしまうため自立させることが困難になり、このため、立てた姿勢で保管するには何らかの固定物に立て掛けなければならない。更に、図４（イ）（ロ）に示したように支柱１の下端部にキャスタ５を備えている場合には、立て掛けた姿勢を保持させることも困難になる虞がある。そのために、横に寝かせた姿勢で保管することも考えられるが、この場合には、折畳式ラックの高さ寸法が高いときには、保管スペースが大きくなる虞があると共に、再度使用するときに、横に寝かせてある姿勢の折畳式ラックを立てた姿勢としなければならず、労力が嵩むという問題がある。しかも、横に寝かせた姿勢ではキャスタ５を利用して走行させることができないため、折り畳んだ状態で保管しているときには、移動が困難になるという問題もある。
【０００９】
なお、図５（イ）（ロ）（ハ）に示したような荷搬送用台車によれば、折り畳んだ状態でも自立させることができるため、固定物に立て掛ける必要がなくなり、又、折り畳んだ状態でも車輪１１により走行させることができて移動が容易になり、更に、折り畳んだ状態から再使用する場合の労力を削減できるようになると考えられる。しかし、上記図５（イ）（ロ）（ハ）に示した荷搬送用台車の如き構成では、高さ寸法に比して左右の幅寸法を広く設定しようとすると、左右幅寸法が大きな中間棚１２を左側面パネル９の内側に折り畳んだ姿勢とするときに、該中間棚１２が左側面パネル９の上方へ大きく突出して、保管スペースが大きくなる虞があると共に、バランスが悪化する虞も懸念される。又、中間棚１２は、背面パネル８と左右の側面パネル９，１０を平面形状がＬ字型となるように折り畳むときに、背面パネル８の内側に固定されている左側の側面パネル９の内側に重なるように折り畳むようにしてあるため、左右の幅寸法が大きな中間棚１２を上下方向複数段に亘って設けようとすると、左側面パネル９の内側に折り畳むべき中間棚１２同士が干渉して折り畳みが困難になる虞も懸念される。
【００１０】
更に、図４（イ）（ロ）に示した折畳式ラックの棚板２、及び、図５（イ）（ロ）（ハ）に示した荷搬送用台車の荷台７や中間棚１２は、いずれも前後左右方向に平面的な形状としてあるため、カルテ等のように所定形状のホルダや封筒に収めた書類や、その他の方形の収納対象物を立てて収納しようとする場合には、以下のような問題が生じる虞も懸念される。
【００１１】
すなわち、上記したような方形の収納対象物を前後方向に沿う鉛直面方向に立てた姿勢で収納するためには、左右方向に倒れないように支持させる必要があるため、図４（イ）（ロ）に示した折畳式ラックの場合は、棚板２上に収納する収納対象物を、左右両端部の支柱１に立て掛ける必要が生じ、又、図５（イ）（ロ）（ハ）に示した荷搬送用台車の場合は、荷台７や中間棚１２上に収納する収納対象物を、左右の側面パネル９，１０に立て掛けなければならず、左右幅方向の両端部から順に収納する必要が生じるため、収納対象物を収納したり取り出したりするときの作業効率が低いものとなる。
【００１２】
更に、上記図４（イ）（ロ）に示した折畳式ラックでは、棚板２上に立てた姿勢で載置する方形の収納対象物を左右の支柱１に立て掛ける際、該収納対象物は、前後方向の両端部のみが折畳式ラックの前端部と後端部に配されている支柱１によって支持されるため、上記方形の収納対象物が、たとえば、書類を入れたホルダや封筒のように平面部に直角方向より作用する力に対し、ある程度の柔軟性を有するものの場合には、自重やラック中央側に隣接する他の収納対象物より幅方向外向きに作用する荷重によって、該収納対象物の前後方向の中間部が、上記前後の支柱１の間から押し出されるように変形してしまい、支持が困難になることがある。
【００１３】
更には、図４（イ）（ロ）に示した折畳式ラックでは、棚板２の上に載置された収納対象物の前方への移動が横杆６により制限されるとしても、収納対象物の後方への移動を規制する部材はなく、又、図５（イ）（ロ）（ハ）に示した荷搬送用台車の場合には、荷台７や中間棚１２の上に載置された物の後方への移動は背面パネル８によって制限されるとしても、前方への移動を規制する部材はない。よって、上記図４（イ）（ロ）に示した折畳式ラックや、図５（イ）（ロ）（ハ）に示した荷搬送用台車では、たとえば、上記棚板２、荷台７、中間棚１２の上に、上記方形の収納対象物を立てて左右方向に配列させた状態で収納している場合には、列の途中に位置している所要の収納対象物を抜き出したり、収納対象物を列の途中位置に差し入れるときに、抜き差しされる収納対象物につられてその左右に隣接する収納対象物が前後方向にずれてしまう虞もある。
【００１４】
そこで、本考案は、左右の幅寸法を広く設定したり、多段化しても不使用時には平面形状Ｌ字型に折り畳んだ状態として安定して自立させることができ、しかも、カルテ等のように所定形状のホルダや封筒に収めた書類や、その他、方形の収納対象物を、前後方向の鉛直面に沿って立てた姿勢で収納するのに適した折畳式ラックを提供しようとするものである。
【課題を解決するための手段】
【００１５】
本考案は、上記課題を解決するために、請求項１に係る考案に対応して、左右方向へ所要間隔を隔てて対向配置した左右一対のフレームの後側端部の所要個所同士を連結部材を介し連結し、該左右のフレームの間に、左右方向に延びる複数本の支持桁部材を前後方向に位置変動可能に支持させてなる棚を設けて、該棚を前後方向に拡縮できるようにし、更に、上記左右のフレームのいずれか一方のフレームを前後方向所要位置より内側へ屈曲して回動できるようにした構成とする。
【００１６】
又、上記構成における前後方向に拡縮可能とした棚を、左右のフレームの内側に沿って前後方向に拡縮できるようにしてある左右一対のパンタグラフ状のリンクと、該左右のリンクに両端を連結して左右のフレーム間に配置した左右方向に延びる前側支持桁部材、後側支持桁部材、下側支持桁部材とからなる構成とする。
【００１７】
更に、上記構成において、左右のリンクの前後方向への拡縮を、該左右のリンクの各後端側を左右のフレームの後部側に連結支持させ、左右のリンクの前端側を左右のフレームに備えた前後方向に延びるガイドレールに係合させて、ガイドレールに沿って行わせるようにした構成とする。
【００１８】
更に又、上記構成におけるガイドレールの前端側に屈曲部を設け、左右のリンクの前端側を該屈曲部に係止させて、棚の展張状態を保持するようにした構成とする。
【００１９】
上述の各構成において、前側支持桁部材と後側支持桁部材における長手方向所要間隔位置同士の間に、略Ｖ字状又は略逆Ｖ字状のリンク構造の支持部材を設けるようにした構成とする。
【考案の効果】
【００２０】
本考案の折畳式ラックによれば、以下の如き優れた効果を発揮する。  
（１）左右方向へ所要間隔を隔てて対向配置した左右一対のフレームの後側端部の所要個所同士を連結部材を介し連結し、該左右のフレームの間に、左右方向に延びる複数本の支持桁部材を前後方向に位置変動可能に支持させてなる棚を設けて、該棚を前後方向に拡縮できるようにし、更に、上記左右のフレームのいずれか一方のフレームを前後方向所要位置より内側へ屈曲して回動できるようにした構成とし、具体的には、前後方向に拡縮可能とした棚を、左右のフレームの内側に沿って前後方向に拡縮できるようにしてある左右一対のパンタグラフ状のリンクと、該左右のリンクに両端を連結して左右のフレーム間に配置した左右方向に延びる前側支持桁部材、後側支持桁部材、下側支持桁部材とからなる構成としてあるので、使用時には、カルテ等のように所定形状のホルダや封筒に収めた書類や、その他、方形の収納対象物を、前後方向の鉛直面に沿って立てた姿勢として、前後方向へ展張させた棚の下側支持部材上に載置すると、該収納対象物の前後方向の両側を、上記前側と後側の各支持桁部材によりそれぞれ支持させることができて、上記収納対象物を棚上に確実に収納することができる。又、棚上に載置された収納対象物は、前後方向への移動が上記前側と後側の各支持桁部材よって規制された状態で、上方へ抜き出すように取り出しが行われると共に、上方から差し込むようにして棚上への収納が行われるようになるため、上記収納対象物が左右方向に配列するように収納されている場合に、列の途中に位置する収納対象物を抜き出したり、収納対象物を列の途中位置に差し入れるときにも、抜き差しする収納対象物の左右に隣接する収納対象物を、自重によって棚上に留まらせることができて、上記抜き差しする収納対象物につられて隣接する収納対象物が前後方向にずれる虞を未然に防止できる。  
（２）一方、使用しないときには、棚を後側へ折り畳むと共に、上記一方のフレームを、該折り畳んだ棚の前側に重なるように折り畳むことにより、全体の平面形状をＬ字型とすることができることから、別の固定物に立て掛けることなく自立させた状態で保管できると共に、折り畳んだ状態としてあるもの同士を、順次、入れ子状に並べて密集させることにより、多数の折畳式ラックをコンパクトに保管することが可能になる。又、棚を前後方向に拡縮できるようにしてあるので、ラック全体を高さ寸法に比して幅寸法を広く設定しても、折り畳んだ棚が上方に突出して保管スペースが大となる虞を防止できると共に、保管するときのバランスが悪化する虞を解消でき、又、棚を多段に設ける場合であっても、該各棚を折り畳むときに棚同士が干渉する虞を未然に解消できる。  
（３）左右のリンクの前後方向への拡縮を、該左右のリンクの各後端側を左右のフレームの後部側に連結支持させ、左右のリンクの前端側を左右のフレームに備えた前後方向に延びるガイドレールに係合させて、ガイドレールに沿って行わせるようにした構成とすることにより、左右のリンクの前端側を、左右のガイドレールに沿って前方へ引き出したり、後方へ押し込むことにより、棚の前後方向への展張と、奥側への折り畳みを容易に行なうことができる。  
（４）ガイドレールの前端側に屈曲部を設け、左右のリンクの前端側を該屈曲部に係止させて、棚の展張状態を保持するようにした構成とすることにより、使用時に、棚を容易に展張状態とさせることができる。  
（５）前側支持桁部材と後側支持桁部材における長手方向所要間隔位置同士の間に、略Ｖ字状又は略逆Ｖ字状のリンク構造の支持部材を設けるようにした構成とすることにより、棚の前後方向の拡縮動作に支障を来たす虞なしに上記前側支持桁部材と後側支持桁部材との間をつなぐように上記支持部材を設けることができることから、前後方向の鉛直面に沿って立てた姿勢として棚の下側支持桁部材上に載置する収納対象物を、左右方向に位置する上記支持部材に立て掛けることによって、該収納対象物を左右方向に倒れないよう支持することが可能となる。
【考案を実施するための最良の形態】
【００２１】
以下、本考案を実施するための最良の形態を図面を参照して説明する。
【００２２】
図１乃至図３（イ）（ロ）は本考案の折畳式ラックの実施の一形態を示すもので、前後方向両端部の下端部にキャスタ１６をそれぞれ備えている左側フレーム１４と右側フレーム１５を、左右方向に所要間隔を隔てて対向するように平行配置して、該左右のフレーム１４と１５の後側（奥側）端部の所要個所同士を連結部材１７を介して連結する。上記左右のフレーム１４と１５の間には、該左右のフレーム１４と１５の内側に沿ってそれぞれ前後方向（手前側と奥側方向）に拡縮可能なパンタグラフ状としてあるリンクロッド３１，３４，３５，３６からなる左右一対のリンク１９ａ，１９ｂと、該左右のリンク１９ａと１９ｂにおけるリンクロッド３４と３６の枢着個所同士、リンクロッド３１と３５の枢着個所同士及びリンクロッド３４の所要個所同士をそれぞれ連結する左右方向に延びる前側支持桁部材２０、後側支持桁部材２１及び下側支持桁部材２２とを具備してなる構成として前後方向に展開させた状態と、後側（奥側）へ折り畳んだ状態とに変形できるようにしてある棚１８を、一段又は上下方向所要間隔で複数段設ける（図では棚１８を２段設けた場合を示してある）。更に、上記左右のフレーム１４又は１５のうちのいずれか一方、たとえば、右側フレーム１５を、該右側フレーム１５における前後方向後側寄りの途中個所を水平方向内向きに回動できるようにしてなる構成として、上記棚１８を奥側へ折り畳んだ状態とさせた後、上記右側フレーム１５における前部の回動部１５ａを、上記折り畳んだ棚１８の前側に重なるように回動させて折り畳むことにより、全体の平面形状をＬ字型とすることができるようにする。
【００２３】
詳述すると、上記左側フレーム１４は、上下方向に延びる前後一対の支柱部２３の上端部同士及び下部同士をそれぞれ前後方向に延びる上部と下部の水平部２４，２５で一体に連結し、上記前部と後部の各支柱部２３の下端部に、それぞれキャスタ１６を取り付けてなる構成としてある。
【００２４】
一方、右側フレーム１５は、上記左側フレーム１４と同様の、下端部にキャスタ１６を取り付けた前後一対の支柱部２３と、該各支柱部２３の上端部同士及び下部同士を連結する上部と下部の水平部２４と２５とからなる構成における上記上部と下部の水平部２４と２５とを、それぞれ後部寄りの所要位置で前後方向に分割してなる水平部２４ａ，２４ｂと２５ａ，２５ｂとし、該前後方向に分割された前側の上下の水平部２４ａと２５ａの後端部同士、及び、後側の上下の水平部２４ｂと２５ｂの前端部同士を、それぞれ上下方向に延びる前部と後部の垂直部材２６及び２７を介し連結する。更に、上記前部垂直部材２６と後部垂直部材２７の所要個所同士、たとえば、上部同士及び下部同士を、前端部に上記前部垂直部材２６の外周に固定するための上下方向の前側筒状部２８ａを備え且つ後端部に上記後部垂直部材２７の外周に遊嵌させるための上下方向の後側筒状部２８ｂを備えてなるヒンジ部材２８を介してそれぞれ連結する。更に又、上記後部垂直部材２７における上部と下部の各ヒンジ部材２８の取付位置と対応する所要高さ位置の周方向所要個所、たとえば、左側面部に、係止ピン２９をそれぞれ水平方向に突設すると共に、上記上部と下部の各ヒンジ部材２８の後側筒状部２８ｂの周壁に、上記各係止ピン２９を係合させるための長孔３０を、左側面部から前方へ向けて周方向に沿って９０度延びるようにそれぞれ穿設して、該各ヒンジ部材２８の後側筒状部２８ｂに設けた長孔３０に、上記後部垂直部材２７の係止ピン２９を係合させることにより、上記後部垂直部材２７と、その外周に遊嵌させてある各ヒンジ部材２８の後側筒状部２８ｂとの上下方向の相対変位を防止すると共に、上記各ヒンジ部材２８の後側筒状部２８ｂを上記後部垂直部材２７の外周で回転させるときの角度範囲を、上記長孔３０の周方向に延びる角度範囲で規制できる構成としてある。これにより、上記右側フレーム１５における前端の垂直部２３及び該垂直部２３の下端部のキャスタ１６と、上部と下部の前側の各水平部２４ａと２５ａと、前部垂直部材２６とからなる前側可動部１５ａを、上記ヒンジ部材２８を介して後部垂直部材２７を中心に、前後方向に沿う配置から、内側、すなわち、左側へ直角に屈曲した配置まで水平方向に回動させることができるようにしてある。
【００２５】
上記左右のフレーム１４と１５は、それぞれの後端部の支柱部２３における所要個所同士、たとえば、上下方向の２個所同士を、左右方向に延びる連結部材１７を介し連結して一体化するようにしてある。
【００２６】
上記棚１８の左右一対のパンタグラフ状のリンク１９ａ，１９ｂは、所要の長さ寸法を有し且つ前方へ斜め下向きに延びる直線状の下部後側リンクロッド３１の上端部（後端部）を、上記連結部材１７の左右両端部位置の前面に設置してあるブラケット３２に、ピン３３を介して上下方向に揺動可能にそれぞれ取り付ける。該各下部後側リンクロッド３１の下端部（前端部）には、前方へ斜め上向きに延び且つ上端部（前端部）を前方へやや下向きに屈曲させて上記下部後側リンクロッド３１とほぼ同様の長さ寸法としてある下部前側リンクロッド３４の下端部（後端部）を、ラック中央側に重ねるようにしてそれぞれピン接合し、上記下部前側のリンクロッド３４と下部後側のリンクロッド３１が、Ｖ字状にピン接合された互いの下端部を中心として、上端側を前後方向に近接、離反するよう変形できるようにする。更に、前方へ斜め上向きに所要寸法延びる円弧形状として、下端部（後端部）を上記各下部後側リンクロッド３１の上部所要位置にそれぞれピン接合した上部後側リンクロッド３５の上端部（前端部）と、前方へ斜め下向きに所要寸法延びる円弧形状として、下端部（前端部）を上記各下部前側リンクロッド３４の屈曲部にそれぞれピン接合してある上部前側リンクロッド３６の上端部（後端部）とを、それぞれピン接合した構成として、上記下部前側と下部後側のリンクロッド３４と３１の上端側同士の近接、離反動作に追従して、上記上部前側のリンクロッド３６と上部後側のリンクロッド３５が、略逆Ｖ字状にピン接合された互いの上端部を中心として、下端側を前後方向に近接、離反するよう変形できるようにしてある。
【００２７】
上記左右の各パンタグラフ状のリンク１９ａ，１９ｂにおける下部前側リンクロッド３４の前端部は、左右方向に延びる連結ロッド３７を介して一体に連結する。該連結ロッド３７の左右両端部にはガイドローラ３８をそれぞれ取り付けて、該左右の各ガイドローラ３８を、上記左右のフレーム１４，１５の内側に左右で対向するよう取り付けた前後方向に延びる溝状のガイドレール３９に前後方向に移動可能に係合させる。これにより、図示しない作業者が上記連結ロッド３７を把持して上記左右のガイドローラ３８がガイドレール３９にガイドされるようにしながら該連結ロッド３７を前後方向へ移動させることにより、上記パンタグラフ状のリンク１９ａ，１９ｂを前後方向に展開させた状態と、後側へ折り畳んだ状態に変形させることができるようにしてある。
【００２８】
なお、上記右側フレーム１５の内側に取り付けるガイドレール３９は、該右側フレーム１５の前部回動部１５ａの後部垂直部材２７を中心とする回動動作に支障が生じないように、後端が上記後部垂直部材２７と対応する位置でカットした形状としてある。
【００２９】
更に、上記パンタグラフ状のリンク１９ａ，１９ｂを前後方向に展開させた状態で、ロックできるようにするために、上記ガイドレール３９の前端部には、直角方向下向きに屈曲させた屈曲部３９ａを設けて、該屈曲部３９ａに、上記左右のガイドローラ３８を落とし込むようにして離脱可能に係止させることができるようにしてある。
【００３０】
上記左右の各パンタグラフ状のリンク１９ａ，１９ｂの間に設ける上記前側支持桁部材２０と後側支持桁部材２１は、該前側支持桁部材２０と後側支持桁部材２１との間に、カルテ等のように所定形状のホルダや封筒に収めた書類や、その他、方形の収納すべき収納対象物４０を前後方向の鉛直面に沿って立てた姿勢とするときの該収納対象物４０の前後長とほぼ等しいかやや大きな間隔が形成されるように取り付ける。たとえば、上記前側支持桁部材２０は、左右の下部前側リンクロッド３４と上部前側リンクロッド３６とのピン接合部位置同士の間に取り付けるようにすると共に、後側支持桁部材２１は、左右の下部後側リンクロッド３１と上部後側リンクロッド３５とのピン接合部位置同士の間に取り付けるようにしてある。更に、上記下側支持桁部材２２は、左右の下部前側リンクロッド３４の下端部近傍位置同士を連結するように取り付けるようにしてある。
【００３１】
更に、上記前側支持桁部材２０と、後側支持桁部材２１の長手方向所要間隔の複数個所（図では３個所）同士の間には、上記上部前側リンクロッド３６と同様の湾曲形状としてある前側リンクロッド４１の上端部（後端部）と、上記上部後側リンクロッド３５と同様の湾曲形状としてある後側リンクロッド４２の上端部（前端部）とをピン接合して略逆Ｖ字状のリンク構造を有してなる支持部材４１をそれぞれ設ける。これにより、前後方向の鉛直面に沿うよう立てた姿勢として上記下側支持桁部材２２上に載置する上記収納対象物４０の前後方向の両端部を、上記前側支持桁部材２０と後側支持桁部材２１によってそれぞれ支持させて該収納対象物４０の前後方向への変位を防止できるようにすると共に、該下側支持桁部材２２上に載置される収納対象物４０を、上記リンク１９ａ，１９ｂにおける上部前側リンクロッド３６と上部後側リンクロッド３５により形成される略逆Ｖ字状の構造、又は、該構造と同様の略逆Ｖ字状のリンク構造としてある支持部材４１に立て掛けることにより、左右方向へ倒れないように支持することができるようにしてある。
【００３２】
以上の構成としてある本考案の折畳式ラックを使用する場合は、右側フレーム１５の前部回動部１５ａを前後方向の配置となるようにした状態で連結ロッド３７を前方（手前側）へ引き出して、該連結ロッド３７の左右位置に設けてあるガイドローラ３８を、ガイドレール３９の屈曲部３９ａに係止させることにより、各棚１８を前後方向に展開（展張）させた状態でロックさせる。この状態において、カルテ等のように所定形状のホルダや封筒に収めた書類や、その他、方形の収納対象物４０を、図１及び図２（イ）に二点鎖線で示す如く、前後方向の鉛直面に沿うように立てた姿勢として上記各棚１８の下側支持桁部材２２上に載置すると、上記収納対象物４０は前側と後側の各支持支持桁部材２０と２１によって前後両側からそれぞれ支持されると共に、左右方向からは上記左右のリンク１９ａ，１９ｂにおける上部前側リンクロッド３６と上部後側リンクロッド３５からなる略逆Ｖ字状の構造、又は、支持部材４１によって支持され、これにより、上記収納対象物４０は、各棚１８上に確実に収納されるようになる。又、個々の収納対象物４０は、上記各棚１８上にて、前後方向への移動が上記前側と後側の各支持桁部材２０，２１より規制された状態とされ、この状態において、上方へ抜き出すように取り出しが行われると共に、上方から差し込むようにして収納が行われるようになるため、上記収納対象物４０が左右方向に配列させた状態で収納されている場合において、列の途中に位置する収納対象物４０を抜き出したり、収納対象物４０を列の途中位置に差し入れるときには、抜き差しする収納対象物４０の左右に隣接する収納対象物４０は、自重によって上記棚１８上に留まるようになるため、上記抜き差しする収納対象物４０につられて隣接する収納対象物４０がずれる虞を未然に防止できる。
【００３３】
一方、本考案の折畳式ラックを使用しないときには、収納対象物４０が載置されていない空の状態の各棚１８の連結ロッド３７を把持して、両端部のガイドローラ３８を、ガイドレール３９の屈曲部３９ａより引き上げて係止状態を解除してから後方（奥側）へ押し込むことにより、図３（イ）に示す如き状態から、図３（ロ）に示す如く、左右のパンタグラフ状のリンク１９ａ，１９ｂをそれぞれ前方から後方（奥側）へ押しつぶすように変形させて各棚１８を奥側へ折り畳む。この際、リンク１９ａ，１９ｂのリンクロッド３５と３６と支持部材４１は、ともに上方へ突出するように折り畳まれ、リンク１９ａ，１９ｂのリンクロッド３１と３４は下方へ突出するように折り畳まれる。次いで、右側フレーム１５の前部回動部１５ａを、上記折り畳んだ各棚１８の前側に重なるように内側へ屈曲させて折り畳むことにより、平面形状がＬ字型となるようにする。これにより、本考案の折畳式ラックは平面形状をＬ字型となるように折り畳んだ状態としても自立させることができて、保管時に別の固定物に立て掛ける必要はなく、又、折り畳んだ状態でもキャスタ１６により走行させて移動を容易なものとすることができて、折り畳んだ状態から再使用する場合に要する労力を低減できる。更に、本考案の折畳式ラックは、図３（ロ）に示すように平面形状がＬ字型となるように折り畳んだ状態としてあるもの同士を、順次、入れ子状に並べて密集させることにより、多数の本考案の折畳式ラックをコンパクトに保管することが可能になる。
【００３４】
しかも、本考案の折畳式ラックによれば、棚１８を前後方向に拡縮できるようにした構成としてあるので、ラック全体を高さ寸法に比して幅寸法を広く設定しても、折り畳んだ棚１８が上方に突出して保管スペースが大となる虞を防止できると共に、保管とするときのバランスが悪化する虞はなく、又、棚１８を多段に設ける場合であっても、該各棚１８を折り畳むときに棚１８同士が干渉する虞を解消できる。
【００３５】
なお、本考案は上記実施の形態のみに限定されるものではなく、各棚１８の左右両端部のパンタグラフ状のリンク１９ａ，１９ｂは、湾曲形状の上部前側リンクロッド３６と上部後側リンクロッド３５とを備えてなるものとして示したが、上部前側リンクロッド３６と上部後側リンクロッド３５は、湾曲率を変更したり直線状としてもよく、又、上部前側リンクロッド３６の後端部と上部後側リンクロッド３５の前端部とのピン接合点の位置が、上部前側リンクロッド３６の前端部と下部前側リンクロッド３４とのピン接合点位置と、上部後側リンクロッド３５の後端部と下部後側リンクロッド３１とのピン接合点位置とを結ぶ線よりも下方に位置するようにして、棚１８を折り畳むときに、上記上部前側リンクロッド３５と後側リンクロッド３６が互いのピン接合部を下方へ突出させるように略Ｖ字型に折り畳まれるようにしてもよい。
【００３６】
下側支持桁部材２２は、左右の下部前側リンクロッド３４の下端部近傍位置同士の間に設けるものとして示したが、左右の下部前側リンクロッド３４と下部後側リンクロッド３１とのピン接合部位置同士の間に設けるようにしてもよく、更には、下部後側リンクロッド３１の下端部の外側（フレーム１４，１５側）に下部前側リンクロッド３４の下端部を重ねてピン接合する形式とする場合には、左右の下部後側リンクロッド３１の下端部近傍位置同士の間に取り付けるようにしてもよい。
【００３７】
前側支持桁部材２０と後側支持桁部材２１は、下側支持桁部材２２上に立てた状態で載置する収納対象物４０の前側と後側をそれぞれ支持することができるようにすれば、前側支持桁部材２０の両端部を、左右の下部前側リンクロッド３４における上部前側リンクロッド３６の前端部とのピン接合部位置からずれた位置に取り付けるようにしてもよく、又、後側支持桁部材２１の両端部を、左右の下部後側リンクロッド３１における上部後側リンクロッド３５の後端部とのピン接合部位置からずれた位置に取り付けるようにしてもよい。
【００３８】
前側支持桁部材２０と後側支持桁部材２１との間に取り付ける支持部材４１は、湾曲形状の前側リンクロッド４２と後側リンクロッド４３とを備えてなるものとして示したが、前側リンクロッド４２と後側リンクロッド４３は、湾曲率を変更したり直線状としてもよく、又、前側リンクロッド４２の後端部と後側リンクロッド４３の前端部とのピン接合点の位置が、前側支持桁部材２０と後側支持桁部材２１とを結ぶ線よりも下方に位置するようにして、棚１８を折り畳むときに、上記前側リンクロッド４２と後側リンクロッド４３が互いのピン接合部を下方へ突出させるように略Ｖ字型に折り畳まれるようにしてもよい。
【００３９】
上記前側支持桁部材２０と後側支持桁部材２１との間に取り付ける支持部材４１の数は、本考案の折畳式ラックの幅寸法に応じて適宜増減させてもよく、幅寸法が狭い場合には、省略するようにしてもよい。又、棚１８の段数は、本考案の折畳式ラック全体の高さ寸法と、棚１８上へ収納対象物４０を立てた状態で収納したり取り出すために必要な作業スペースの高さ寸法に応じて適宜増減してもよい。その他本考案の要旨を逸脱しない範囲内において種々変更を加え得ることは勿論である。
【図面の簡単な説明】
【００４０】
【図１】本考案の折畳式ラックの実施の一形態を示す概略斜視図である。
【図２】（イ）は図１の装置の左側フレーム部分を内側から見た拡大側面図、（ロ）は図１の装置の右側フレーム部分を内側から見た拡大側面図である。
【図３】図１の装置の使用時と不使用時の変形状態を示すもので、（イ）は使用状態を示す概略平面図、（ロ）は不使用時に折り畳んだ状態を示す概略平面図である。
【図４】従来提案されている折り畳み式のラックの一例を示すもので、（イ）は概略正面図、（ロ）は概略側面図である。
【図５】従来提案されている折り畳み式の荷搬送用台車の一例を示すもので、（イ）は使用状態を、（ロ）は中間棚を折り畳んだ状態を、（ハ）は平面形状がＬ字型となるように折り畳んだ状態をそれぞれ示す概略斜視図である。
【符号の説明】
【００４１】
１４  左側フレーム（フレーム）
１５  右側フレーム（フレーム）
１５ａ  前部回動部
１７  連結部材
１８  棚
１９ａ，１９ｂ  リンク
２０  前側支持桁部材
２１  後側支持桁部材
２２  下側支持桁部材
４１  支持部材
４２  前側リンクロッド
４３  後側リンクロッド
【図１】
0003115375.tif 000003
【図２】
0003115375.tif 000004
【図３】
0003115375.tif 000005
【図４】
0003115375.tif 000006
【図５】
0003115375.tif 000007